(57)【要約】【課題】  同一商品を内包したカプセルが連続して払出されることを防止して、利用者の購買意欲を高めることができるカプセル払出装置を提供する。【解決手段】  商品を内包した複数個のカプセルを収納し、外部から商品を視認可能としたカプセル収納部と、所定価値の投入を条件として利用者により操作可能とした操作手段と、利用者により操作手段が操作されると、複数個のカプセルのなかの一個のカプセルを払出すカプセル払出手段とを有するカプセル払出装置において、カプセル払出手段により同一商品を内包したカプセルが連続して払出されることを防止する同一商品払出防止機構と、この同一商品払出防止機構の動作を制御する制御手段とを設けた。【選択図】図３
2006309414.tif 000002
【特許請求の範囲】
【請求項１】
商品を内包した複数個のカプセルを収納し、外部から前記商品を視認可能としたカプセル収納部と、
所定価値の投入を条件として利用者により操作可能とした操作手段と、
利用者により前記操作手段が操作されると、前記複数個のカプセルのなかの一個のカプセルを払出すカプセル払出手段とを有するカプセル払出装置において、
前記カプセル払出手段により同一商品を内包したカプセルが連続して払出されることを防止する同一商品払出防止機構と、この同一商品払出防止機構の動作を制御する払出制御手段とを設けたことを特徴とするカプセル払出装置。
【請求項２】
前記カプセルは、前記商品に関する情報を記憶する商品情報記憶手段と、前記商品に関する情報を前記払出制御手段に送信する送信手段とを有する商品識別手段を備え、
前記払出制御手段は、前記送信手段から送信される前記商品に関する情報を受信する受信手段を有し、
この受信手段により受信した情報に基づいて、前記同一商品払出防止機構の動作を制御することを特徴とする請求項１に記載のカプセル払出装置。
【請求項３】
前記カプセル払出手段は、前記カプセル収納部に収納している複数個のカプセルから払出予定のカプセルを選択保持するカプセル選択保持手段を有し、
前記同一商品払出防止機構は、前記カプセル選択保持手段に保持されている前記カプセルを、前記カプセル収納部側へ排除可能に構成したことを特徴とする請求項１〜３のいずれか１項に記載のカプセル払出装置。
【請求項４】
前記カプセル選択保持手段に保持された商品に関する情報を表示する表示手段と、
利用者の操作により、前記同一商品払出防止機構の動作を禁止する機構動作禁止手段とを有することを特徴とする請求項３に記載のカプセル払出装置。
【発明の詳細な説明】
【技術分野】
【０００１】
本発明は、商品が入ったカプセルを払出すカプセル払出装置に関するものである。
【背景技術】
【０００２】
従来より、通称ガチャガチャと呼ばれるカプセル払出装置が知られている（たとえば、特許文献１参照。）。
【０００３】
このカプセル払出装置は、数種類の異なる商品を１つずつ内包した複数個のカプセルを収納したカプセル収納部と、利用者が所定の金銭を投入することにより操作可能な状態になる操作手段と、利用者によりこの操作手段が操作されると、その操作に連動してカプセル収納部に収納している複数個のカプセルの中から１個のカプセルを外部へ払出すカプセル払出部とを備えている。
【０００４】
また、カプセル収納部に収容するカプセルは、内部を透視可能な材料により構成することによって、内包している商品がカプセルの外部から視認できるようにしている。
【０００５】
そして、カプセル収納部は、内部を透視可能な材料により構成することによって、カプセル収納部の外部からカプセル内部の商品を視認できるようにし、さらに、カプセル払出部は、内部を透視できない材料により構成するようにしている。
【０００６】
このように構成したカプセル払出装置は、利用者にカプセル収納部内の商品を視認させることで利用者の購買意欲を駆り立て、しかも、カプセルが払出されるまでは、どの商品を購入できたか分からないといったゲーム性を備えている。
【０００７】
このようなゲーム性を備えているため、このカプセル払出装置では、カプセル収納部に、利用者に人気のある商品と、比較的人気のない商品とを均等な個数になるようにして入れておくことが望ましい。
【０００８】
こうすることによって、利用者はカプセル収納部の内部に自分が欲しい商品が入っていることを視認することができ、このカプセル払出装置に対して購買意欲を覚えて商品を購入し、しかも、所望する商品が内包されたカプセルが払出されなかった場合には、次回自分の欲しい商品が内包されたカプセルが払出されるかもしれないという思いに駆られ、再度、このカプセル払出装置で商品を購入しようとするようになる。
【特許文献１】特開２００３−１２３１３５号公報
【発明の開示】
【発明が解決しようとする課題】
【０００９】
ところが、上記従来のカプセル払出装置は、カプセルを払出す際に、カプセル収納部の中から任意に選択した１個のカプセルを払出すようにしていたため、しばしば同一種類の商品を内包したカプセルが連続して払出される場合があり、このような場合が頻繁に起こると、カプセル収納部内の商品の種類が偏ってしまい、その結果、カプセル収納部内の商品の種類が比較的人気の低い商品に偏ってしまうと、利用者の購買意欲を損なわせるおそれがあった。
【００１０】
また、連続して払出されたカプセルに内包した商品が人気の低い商品であった場合には、利用者の購買意欲をさらに損なわせるおそれがあった。
【課題を解決するための手段】
【００１１】
そこで、請求項１に係る本発明では、商品を内包した複数個のカプセルを収納し、外部から商品を視認可能としたカプセル収納部と、所定価値の投入を条件として利用者により操作可能とした操作手段と、利用者により操作手段が操作されると、複数個のカプセルのなかの一個のカプセルを払出すカプセル払出手段とを有するカプセル払出装置において、カプセル払出手段により同一商品を内包したカプセルが連続して払出されることを防止する同一商品払出防止機構と、この同一商品払出防止機構の動作を制御する払出制御手段とを設けた。
【００１２】
また、請求項２に係る本発明では、請求項１に記載のカプセル払出装置において、カプセルは、商品に関する情報を記憶する商品情報記憶手段と、商品に関する情報を払出制御手段に送信する送信手段とを有する商品識別手段を備え、払出制御手段は、送信手段から送信される商品に関する情報を受信する受信手段を有し、この受信手段により受信した情報に基づいて、同一商品払出防止機構の動作を制御することを特徴とする。
【００１３】
また、請求項３に係る本発明では、請求項１〜３のいずれか１項に記載のカプセル払出装置において、カプセル払出手段は、カプセル収納部に収納している複数個のカプセルから払出予定のカプセルを選択保持するカプセル選択保持手段を有し、同一商品払出防止機構は、カプセル選択保持手段に保持されているカプセルを、カプセル収納部側へ排除可能に構成したことを特徴とする。
【００１４】
また、請求項４に係る本発明では、請求項３に記載のカプセル払出装置において、カプセル選択保持手段に保持された商品に関する情報を表示する表示手段と、利用者の操作により、同一商品払出防止機構の動作を禁止する機構動作禁止手段とを有することを特徴とする。
【発明の効果】
【００１５】
本発明に係るカプセル払出装置は、同一種類の商品を内包したカプセルが連続して払出されることを防止することによってカプセル収納部内の商品の種類が偏ることを防止し、カプセル収納部内に、人気の高い商品と人気の低い商品とが均等な個数ずつ入っている状態を維持することで、利用者の購買意欲を駆り立てることができる。
【発明を実施するための最良の形態】
【００１６】
本発明に係るカプセル払出装置は、数種類の異なる商品を１個ずつ内包した複数個のカプセルを収納し、外部から内部の商品を視認可能としたカプセル収納部と、金銭などの所定価値の投入を条件として利用者により操作可能とした操作手段と、利用者により操作手段が操作されると、カプセル収納部に収納している複数個のカプセルのなかの一個のカプセルを払出すカプセル払出手段とを備えている。
【００１７】
さらに、このカプセル払出装置は、同一種類の商品を内包したカプセルが連続して払出すことを防止する同一商品払出防止機構と、この同一商品払出防止機構の動作を制御する払出制御手段とを備えている。
【００１８】
そのため、このカプセル払出装置は、連続して同一種類の商品を内包したカプセルを払出すことがなく、カプセル収納部内の商品の種類が偏ることを防止することができる。
【００１９】
その結果、カプセル収納部内は、人気の高い商品と人気の低い商品とが常に均等な個数収納された状態に維持されるため、人気の高い商品を利用者に視認させて購買意欲を高めることができる。
【００２０】
また、このカプセル払出装置の利用者は、たとえ人気の低い商品が内包されたカプセルが払出された場合であっても、連続して再度商品を購入すれば、同一商品払出防止機構の動作によって必ず前回とは異なる種類の商品を手にすることができるので連続して商品を購入したくなる。
【００２１】
そして、このように連続して商品を購入する利用者が増加すると、結果としてカプセル払出装置の売上が上昇する。
【００２２】
また、カプセル収納部に収納している全てのカプセルは、内包している商品の種類に関する情報を記憶する商品情報記憶手段と、商品に関する情報を払出制御手段に送信する送信手段とを有する商品識別手段を備えている。
【００２３】
そして、払出制御手段は、送信手段から送信される商品に関する情報を受信する受信手段と、この受信手段により受信した情報を記憶する受信情報記憶手段とを備えており、この受信手段により受信した情報に基づいて、同一商品払出防止機構の動作を制御するようにしている。
【００２４】
すなわち、払出制御手段は、カプセル収納部に収納しているカプセルの中から次回払出すカプセルが決定される度に、そのカプセルが備えている商品識別手段から、内包している商品の種類に関する情報を受信して受信情報記憶手段に順次記憶し、新たに商品識別手段から商品の種類に関する情報を受信した際には、前回受信した商品に関する情報と、今回受信した商品に関する情報とを比較する。
【００２５】
そして、払出制御手段は、これら２つの商品の種類が同一であると判断した場合に、同一商品払出防止機構を駆動させる制御を行う。
【００２６】
こうして、同一種類の商品を内包したカプセルが連続して払出されることを確実に防止するようにしている。
【００２７】
しかも、払出制御手段は、受信情報記憶手段に記憶させた情報を外部へ出力するための外部出力手段を備えており、この外部出力手段から受信情報記憶手段に記憶させた情報を所定の読取装置で読取ることができる。
【００２８】
これにより、このカプセル払出装置を提供する業者は、これまでに払出した商品の種類や個数を容易に認識することができるため、カプセル収納部内で不足している商品の種類や個数を容易に認識することができ、カプセル収納部における商品の在庫管理を容易に行うことができる。
【００２９】
そして、カプセル収納部へカプセルを補充する際には、不足している商品を内包したカプセルを不足している個数だけ補充することができ、カプセル収納部において、人気の高い商品と人気の低い商品とが均等な個数となるようにカプセルの補充を行うことができる。
【００３０】
こうすることで、このカプセル払出装置は、人気の高い商品が常に利用者に視認可能な状態となるため、利用者の購買意欲を駆り立てることができる。
【００３１】
また、カプセル払出手段は、カプセル収納部の下方に設けられ、カプセル収納部に収納している複数個のカプセルから次回払出す予定のカプセルを選択して保持するカプセル選択保持手段を備えている。
【００３２】
そして、同一払出防止機構は、このカプセル選択保持手段に保持されているカプセル内の商品が、前回払出したカプセル内の商品と同一種類の商品であった場合に、払出制御手段の制御に基づいてカプセル選択保持手段に保持しているカプセルをカプセル収納部側へ排除して、カプセル選択保持手段が別のカプセルを保持可能な状態になるように構成している。
【００３３】
そのため、カプセル選択保持手段により、連続して同一種類の商品を内包したカプセルが選択された場合であっても、前回払出した商品と異なる種類の商品を内包したカプセルが選択されるまで繰り返し同一払出防止機構が動作するため、同一種類の商品を内包したカプセルが連続して払出されることを確実に防止することができる。
【００３４】
また、このカプセル払出装置は、カプセル選択保持手段に保持されたカプセル内の商品に関する情報を表示する表示手段と、利用者の操作により、同一商品払出防止機構の動作を禁止する機構動作禁止手段とを備えている。
【００３５】
そして、この表示手段は、利用者により所定価値が投入された際に、カプセル選択保持手段に保持されているカプセル内の商品の情報を表示するようにしている。
【００３６】
これにより、利用者は、カプセルが払出される前に、これから払出される予定の商品の種類を知ることができ、さらに、連続して商品を購入する際に、次に払出される商品が前回払出された商品と同一種類の商品であり、その商品を購入したいと思った場合には、機構動作禁止手段を操作することにより同一商品払出防止機構の動作を禁止させて前回と同一種類の商品を連続して購入することができる。
【００３７】
また、この表示手段には、受信情報記憶手段に記憶させている情報を表示させることもできる。
【００３８】
そのため、カプセル収納部にカプセルを補充する際には、表示手段に、受信情報記憶手段に記憶させているこれまで払出した商品の種類及び個数を表示させて不足している商品を判断し、その種類の商品を内包したカプセルを補充して、カプセル収納部内において全ての種類の商品が均等な個数となるようにカプセルの補充を行うことができる。
【００３９】
以下、本発明に係るカプセル払出装置の一実施形態について、図面を参照して具体的に説明する。
【００４０】
本実施形態に係るカプセル払出装置１は、図１に示すように、数種類の商品１３（図２参照）をそれぞれ１個ずつ内包した複数個のカプセル２を収納するカプセル収納部３と、このカプセル収納部３に収納している複数個のカプセル２の中から１個のカプセル２を任意に選択して払出すカプセル払出部４とから構成している。
【００４１】
カプセル収納部３は、４側面を内部が透視可能なプラスチック製の板体により形成したケース５と、このケース５の上面に開閉自在に設けた蓋体６とにより構成している。
【００４２】
なお、ケース５の材料は、プラスチックに限るものではなく、ガラスなど、ケース５の内部を透視可能な材料であれば任意の材料を用いて形成してもよい。
【００４３】
カプセル払出部４は、箱型形状をした筐体７により構成しており、その前面に、所定価値としての硬貨を投入する硬貨投入口８と、利用者により操作される操作手段としてのハンドル９と、カプセルが払出されるカプセル払出口１０と、カプセル２に内包している商品１３に関する情報を表示する表示手段として機能する液晶表示装置１１と、後述する同一商品払出防止機構２１の動作を禁止する機構動作禁止手段としてのキャンセルスイッチ１２aと、液晶表示装置１１の表示画面を変更する表示変更スイッチ１２bとを備えている。
【００４４】
なお、図１中の符号１５は、カプセル払出部４内に詰まった硬貨を返却する際に押圧操作する硬貨返却ボタンであり、符号１６は、返却する硬貨を払出す硬貨返却口である。
【００４５】
また、このカプセル払出装置１のカプセル収納部３に収納しているカプセル２は、図２に示すように、内部を透視可能なプラスチックにより形成した２個の半球体２a、２bの開口部同士をテープ２cにより張り合わせることによって内部に空間を形成した球体であり、この球体内部の空間に商品１３を内包している。
【００４６】
さらに、このカプセル２には、内包している商品１３の種類を後述する払出制御手段２４によって識別するための商品識別手段として機能するＩＣタグ１４を備えている。
【００４７】
なお、本実施形態では、ＩＣタグ１４をカプセル２側に設けるようにしているが、これに限定されるものではなく、ＩＣタグ１４をカプセル２内の商品１３自体に設けることもでき、また、ＩＣタグ１４を商品１３と共にカプセル２に内包させることもできる。
【００４８】
また、このカプセル２は、全体を内部が透視可能な材料により形成することが望ましいが、利用者が外部から内部の商品１３を視認できればよく、カプセル２の一部を内部が透視可能な材料で形成してもよい。
【００４９】
その際、内部が透視可能な部分を形成する材料は、プラスチックに限定するものではなく内部が透視可能な任意の材料を用いることができる。
【００５０】
また、２個の半球体２a、２bによりカプセル２を形成する方法は、テープ２cによる張り合わせに限るものではなく、一方の半球体２aに他方の半球体２bを嵌め込む方法や、一方の半球体２aと他方の半球体２bとを螺嵌する方法など、任意の方法を用いてもよい。
【００５１】
また、このように構成したカプセル２を払出すカプセル払出部４の内部には、図３に示すように、カプセル収納部３の内部に収納している複数個のカプセル２の中から次に払出す予定の１個のカプセル２を任意に選択して、払出すまでの間保持するカプセル選択保持手段として機能する回転盤１７を備えている。
【００５２】
この回転盤１７は、カプセル２の直径と略同一の厚みを有する円柱体であり、利用者によるハンドル９の回動操作に連動して回転軸１８を中心に所定角度回転するように構成している。
【００５３】
なお、この回転盤１７は、回転軸１８と共に回転するものではなく、ハンドル９の回動に連動して動作する図示しない駆動機構により回転するものである。
【００５４】
さらに、この回転盤１７は、回転軸１８から回転盤１７外周方向へ所定距離離間した位置に回転盤１７の上面と下面との間を貫通する円筒形状の貫通孔１９を備えている。
【００５５】
この貫通孔１９は、その直径がカプセル２の直径よりも若干大きくなるように形成しており、しかも、その深さがカプセル２の直径と略等しくなるように形成している。
【００５６】
そのため、この貫通孔１９には、カプセル収納部３の底面近傍に収納されているカプセル２のうちの１個のカプセル２が入り、次に払出されるカプセル２として任意に選択される。
【００５７】
そして、この貫通孔１９に入ったカプセル２は、次に使用者によりハンドル９が回動操作されるまでの間この貫通孔１９の内部に保持されることとなる。
【００５８】
このように構成したカプセル払出装置１は、以下のようにして利用者に商品１３を提供するように構成している。
【００５９】
すなわち、このカプセル払出装置１は、利用者により所定枚数の硬貨が硬貨投入口８に投入されると、ハンドル９を回動可能な状態にする。
【００６０】
次に、利用者によりハンドル９が回動されると、その動作に連動して回転盤１７が図３に示す位置から回転軸１８を中心に反時計回りに回転し、これに伴って貫通孔１９と、この貫通孔１９に保持しているカプセル２とが回転軸１８を中心として弧を描くように移動する。
【００６１】
そして、回転盤１７が１８０度回転して、貫通孔１９がカプセル払出口１０と連通しているシュート孔２０の真上の位置まで移動すると、それまで貫通孔１９に保持されていたカプセル２は、シュート孔２０へ入り、所定のカプセル払出経路（図示略。）を通過してカプセル払出口１０からカプセル払出装置１の外部へ払出され利用者に商品１３を提供する。
【００６２】
このように、本実施形態に係るカプセル払出装置１では、回転盤１７と、カプセル払出経路と、カプセル払出口１０とによってカプセル払出手段を構成しており、このカプセル払出手段により、カプセル収納部３に収納している複数個のカプセル２の中から１個のカプセル２を任意に選択して払出すようにしている。
【００６３】
さらに、このカプセル払出装置１は、同一種類の商品１３を内包したカプセル２が連続して払出されることを防止する同一商品払出防止機構２１と、この同一商品払出防止機構２１の動作を制御する払出制御手段２４とを備えている。
【００６４】
この同一商品払出防止機構２１は、図３に示すように、回転盤１７の内部から貫通孔１９へ出没自在に摺動する摺動部材２２と、回転盤１７の上面を回転軸１８を中心に所定角度回動する回動部材２３とにより構成している。
【００６５】
摺動部材２２は、摺動して貫通孔１９に出没する部分が、貫通孔１９側へ向けて下り勾配となる側面視テーパー状に形成されており、この摺動部材２２が貫通孔１９側へ摺動することにより、貫通孔１９に保持しているカプセル２を貫通孔１９の上方へ持ち上げるように構成している。
【００６６】
また、回動部材２３は、回転軸１８に基端側が接続固定され、先端側に下方側へ折れ曲がった折曲部を有する棒体であり、回転軸１８の回転に伴って回動して、摺動部材２２により上方へ持ち上げられたカプセル２を貫通孔１９の上方から排除するように構成している。
【００６７】
そして、この同一商品払出防止機構２１は、後に詳説する払出制御手段２４が、前回払出したカプセル２内の商品と同一種類の商品を内包したカプセル２が、回転盤１７の貫通孔１９に保持されたことを検出した場合に、貫通孔１９に保持しているカプセル２をカプセル収納部３側へ排除するようにしている。
【００６８】
以下に、カプセル２設けるＩＣタグ１４及び払出制御手段２４について、図４に示す機能ブロック図を参照して説明する。
【００６９】
図４に示すように、ＩＣタグ１４は、送信手段３３と受信手段３４と商品情報記憶手段３５と電源整流手段３６とを備えたＩＣチップ３１と、タグ用アンテナ３２とを備えている。
【００７０】
送信手段３３は、商品情報記憶手段３５に記憶されている情報を払出制御手段２４へ送信するための無線送信回路である。
【００７１】
受信手段３４は、カプセルに内包する商品に関する情報を、所定の情報書き込み装置（図示略。）から受信して商品情報記憶手段３５に入力すると共に、払出制御手段２４が発信する所定周波数の電波を受信して、その電波を電源整流手段３６に入力する無線受信回路である。
【００７２】
商品情報記憶手段３５は、受信手段３４から入力される商品に関する情報を記憶するメモリ回路である。
【００７３】
電源整流手段３６は、受信手段３４から入力される電波により発電し、この発電した電力を整流して送信手段３３、受信手段３４、商品情報記憶手段３５に供給する電源回路である。
【００７４】
タグ用アンテナ３２は、ＩＣタグ１４の外周に沿ってらせん状に配置されたコイルアンテナであり、その一端が送信手段３３と受信手段３４とに接続されている。
【００７５】
一方、払出制御手段２４は、発信手段２５と、受信手段２６と、受信情報記憶手段２７と、液晶駆動手段２８と機構駆動手段２９と、ＣＰＵ（中央処理装置）３０とを備えている。
【００７６】
発信手段２５は、ＣＰＵ３０による制御に基づいて、所定周波数の電波を発信する回路であり、アンテナ３７を介して電波を発信することにより、アンテナ３７から所定距離以内にあるＩＣタグ１４内部の電源整流手段３６に発電を促すようにしている。
【００７７】
受信手段２６は、ＣＰＵ３０による制御に基づいて、アンテナ３７を介してＩＣタグ１４から送信される情報を受信する無線受信回路である。
【００７８】
特に、この受信手段２６及びアンテナ３７は、図３に示すように、ハンドル９が操作されていない状態における貫通孔１９の底部近傍に設けるようにしており、これにより、貫通孔１９に保持しているカプセル２に設けたＩＣタグ１４から、このカプセル２に内包している商品の種類に関する情報を確実に受信することができるようにしている。
【００７９】
なお、このときの貫通孔１９の底部近傍に、アンテナ３７のみを設けると共に、受信手段２６をカプセル払出装置１の任意の位置に設け、アンテナ３７と受信手段２６とを接続することによっても、同様に商品１３に関する情報を確実に受信することができる。
【００８０】
受信情報記憶手段２７は、ＣＰＵ３０による制御に基づいて、受信手段２６が受信した情報を順次記憶するメモリ回路である。
【００８１】
液晶駆動手段２８は、筐体７の前面に設けた液晶表示装置１１と接続されており、ＣＰＵ３０による制御に基づいて、受信情報記憶手段２７に記憶させた情報に関する画像を液晶表示装置１１の表示領域上に表示させるための回路である。
【００８２】
具体的に説明すると、この液晶駆動手段２８は、ＣＰＵ３０が利用者による硬貨の投入を検出したときに、回転盤１７の貫通孔１９に保持されているカプセル２内の商品１３を示す画像を、液晶表示装置１１の表示領域に表示させるように動作する。
【００８３】
また、この液晶駆動手段２８は、筐体７の前面に設けた表示変更スイッチ１２bにも接続されており、この表示変更スイッチ１２bが操作されると、受信情報記憶手段２７に記憶されている情報に基づいて、これまでに払出した商品１３の種類及び個数に関する画像を液晶表示装置１１の表示領域に表示させるように動作する。
【００８４】
機構駆動手段２９は、ＣＰＵ３０による制御に基づいて、同一商品払出防止機構２１を動作させるための回路である。
【００８５】
具体的に説明すると、この機構駆動手段２９は、ＣＰＵ３０が受信情報記憶手段２７に記憶している情報を参照して、現在貫通孔１９に保持されているカプセル２内の商品１３と、前回払出したカプセル２に内包されていた商品１３とが同一種類であると判断した場合に、ＣＰＵ３０から入力される信号に基づいて同一商品払出防止機構２１を駆動させ、貫通孔１９に保持されているカプセル２をカプセル収納部３側へ排除した後、これとは別のカプセル２を貫通孔１９に保持させるように動作する。
【００８６】
また、この機構駆動手段２９は、筐体７の前面に設けたキャンセルスイッチ１２aにも接続されており、このキャンセルスイッチ１２aが操作されると、キャンセルスイッチ１２aから入力される信号に基づいて同一商品払出防止機構２１の動作を禁止するように動作する。
【００８７】
ただし、この機構駆動手段２９は、ＣＰＵ３０が現在貫通孔１９に保持されているカプセル２内の商品１３と、前回払出したカプセル２に内包されていた商品１３とが同一種類であると判断したときにだけ、キャンセルスイッチ１２aからの信号を受け付けるようにしている。
【００８８】
ＣＰＵ３０は、上記したように、発信手段２５、受信手段２６、受信情報記憶手段２７、液晶駆動手段２８、機構駆動手段２９など、払出制御手段２４を構成する各手段の動作を制御する回路である。
【００８９】
このように構成した払出制御手段２４においてＣＰＵ３０は、図５に示すフローチャートに従って払出制御手段２４を構成する各手段を制御して、同一種類の商品１３を内包したカプセル２が連続して払出されることを防止するようにしている。
【００９０】
以下に、図５に示すフローチャートと、図６及び図７に示す同一商品払出防止機構２１の動作を示す断面説明図を参照して、払出制御手段２４が行う制御動作について説明する。
【００９１】
なお、図６及び図７では、説明を簡単に行うために、カプセル収納部３に収納されている複数個のカプセル２についてはその説明を省略し、商品１３の種類については種類Ａ、種類Ｂという２種類のみとする。
【００９２】
また、図５のフローチャートに示す処理は、利用者が硬貨投入口８に硬貨を投入する度に、任意のタイミングで開始される割り込み処理である。
【００９３】
まず、利用者により硬貨投入口８に所定枚数の硬貨が投入されると、ＣＰＵ３０は、受信手段２６が次に払出されるカプセル２内の商品に関する情報（以下、「商品情報」という。）を受信したか否かの判断を行う（ステップＳ１）。
【００９４】
ここで、受信手段２６は、図６（a）に示すように、回転盤１７の貫通孔１９にカプセル２が保持され、このカプセル２に設けているＩＣタグ１４と、受信手段２６に接続されたアンテナ３７とが所定距離以内に近接したときに、商品情報を受信するように設定されている。
【００９５】
このステップＳ１においてＣＰＵ３０は、受信手段２６が商品情報を受信していないと判断した場合に、ステップＳ１の処理を繰り返し行う。
【００９６】
一方、ＣＰＵ３０は、図６（a）に示すように、回転盤１７の貫通孔１９に種類Ａの商品１３を内包したカプセル２が保持され、受信手段２６が商品情報を受信した場合に、その商品情報を受信情報記憶手段２７に記憶させた後、処理をステップＳ２へ移す。
【００９７】
ステップＳ２においてＣＰＵ３０は、受信情報記憶手段２７を参照することにより、現在貫通孔１９に保持しているカプセル２内の商品１３の種類（種類Ａ）に関する情報を読み出した後、処理をステップＳ３へ移す。
【００９８】
ステップＳ３においてＣＰＵ３０は、液晶駆動手段２８を動作させることにより、液晶表示装置１１に種類Ａを表す画像を表示させた後、処理をステップＳ４へ移す。
【００９９】
ステップＳ４においてＣＰＵ３０は、受信情報記憶手段２７を参照して、前回払出したカプセル２に内包していた商品１３の種類と、現在貫通孔１９に保持しているカプセル２に内包している商品１３の種類とが同一であるか否かの判断を行い、同一でないと判断した場合に処理をステップＳ７へ移し、同一であると判断した場合に処理をステップＳ５へ移す。
【０１００】
すなわち、ＣＰＵ３０により前回払出した商品が種類Ａでないと判断され、利用者によりハンドル９が回動操作された場合には、図６（b）に示すように回転盤１７が１８０度回転して、種類Ａの商品１３を内包したカプセル２が払出される（ステップＳ７）。
【０１０１】
その後、回転盤１７は、さらに１８０度回転して、貫通孔１９が図（c）に示す位置まで移動し、次に払出すカプセル２が貫通孔１９に新たに保持される。
【０１０２】
ここでは、図６（c）に示すように、新たに保持されるカプセル２として、前回と同じ種類Ａの商品１３を内包したカプセル２が貫通孔１９に保持されている。
【０１０３】
こうしてカプセル払出処理（ステップＳ７）が終了すると、ＣＰＵ３０は次に利用者が硬貨を投入するまでの間待機状態となる。
【０１０４】
そして、利用者が再度硬貨を投入すると、ＣＰＵ３０は、ステップＳ１とステップＳ２の処理を行った後、受信情報記憶手段２７を参照して、現在貫通孔１９に保持しているカプセル内の商品１３の種類（種類Ａ）を表す画像を液晶表示装置１１に表示させ（ステップＳ３）、処理をステップＳ４へ移す。
【０１０５】
ここでは、現在貫通孔１９に保持しているカプセル２内の商品１３が種類Ａであり、前回払出したカプセル２に内包していた商品１３も種類Ａである。
【０１０６】
そのためＣＰＵ３０は、処理をステップＳ５へ移し、キャンセルスイッチ１２aが操作されたか否かの判断を行う。
【０１０７】
ここで、ＣＰＵ３０によりキャンセルスイッチ１２aが操作されたと判断された場合には、前回払出された商品１３と同じ種類Ａの商品１３が内包されたカプセル２がそのまま払出される。
【０１０８】
一方、ＣＰＵ３０は、キャンセルスイッチ１２aが操作されなかったと判断した場合に、機構駆動手段２９を動作させ、図７（d）〜（g）に示すように同一商品払出防止機構２１を駆動して貫通孔１９に保持されているカプセル２をカプセル収納部３側へ排除して、新たに別のカプセル２を貫通孔１９に保持させる。
【０１０９】
具体的に説明すると、機構駆動手段２９は、ＣＰＵ３０の制御に従って、図７（d）に示すように摺動部材２２を右側へ摺動させ、側面視テーパー状の先端部を貫通孔１９の内部へ突出させることにより、貫通孔１９に保持されているカプセル２を徐々に上方へ移動させ、図７（e）に示すように、カプセル２を回転盤１７の上面まで持ち上げる。
【０１１０】
ここで機構駆動手段２９は、ＣＰＵ３０の制御に従って、図７（f）に示すように回転軸１８を回転させることにより回動部材２３を回動させ、種類Ａの商品１３を内包しているカプセル２を貫通孔１９からカプセル収納部３側へ排除する。なお、このとき、貫通孔１９は、摺動部材２２により閉塞された状態となっている。
【０１１１】
その後、機構駆動手段２９は、ＣＰＵ３０の制御に従って、図７（g）に示すように摺動部材２２を左側へ摺動させることにより貫通孔１９の閉塞を解除し、先程排除したカプセル２とは異なる種類Ｂの商品１３を内包したカプセル２を貫通孔１９内に保持させるようにする。
【０１１２】
なお、ＣＰＵ３０は、このとき再度前回と同じ種類Ａの商品１３が内包されたカプセル２が貫通孔１９に保持されたことを検出すると、再び機構駆動手段２９により同一商品払出防止機構２１を動作させて貫通孔１９内のカプセル２に保持しているカプセル２を排除し、別のカプセル２を保持させるようにしている。
【０１１３】
このように、本発明に係るカプセル払出装置１は、次に払出す予定のカプセル２に内包している商品１３の種類と、前回払出したカプセル２に内包していた商品１３の種類とを比較して、これら２つの商品の種類が同一であった場合に、前回払出した商品１３と異なる種類の商品１３を内包したカプセル２が貫通孔１９に保持されるまで、繰り返し同一商品払出防止機構２１を動作させるように構成している。
【０１１４】
これにより、同一種類の商品１３を内包したカプセル２が連続して払出されることを防止して、カプセル収納部３に収納した商品１３の種類が偏ることを防止することができる。
【０１１５】
その結果、このカプセル払出装置１は、カプセル収納部３内に、人気の高い商品１３と人気の低い商品１３とが均等な個数ずつ入っている状態を維持することができるようになり、利用者の購買意欲を駆り立てることができる。
【図面の簡単な説明】
【０１１６】
【図１】本実施形態に係るカプセル払出装置を示す概観斜視図である。
【図２】商品を内包したカプセルを示す説明図である。
【図３】カプセル払出手段を示す部分断面図である。
【図４】払出制御手段及びＩＣタグを示す機能ブロック図である。
【図５】払出制御手段おいてＣＰＵが行う制御を示すフローチャートである。
【図６】同一商品払出防止機構の動作を示す断面説明図である。
【図７】同一商品払出防止機構の動作を示す断面説明図である。
【符号の説明】
【０１１７】
１  カプセル払出装置
２  カプセル
２a  半球体
２b  半球体
２c  テープ
３  カプセル収納部
４  カプセル払出部
５  ケース
６  蓋体
７  筐体
８  硬貨投入口
９  ハンドル
１０  カプセル払出口
１１  液晶表示装置
１２a  キャンセルスイッチ
１２b  表示変更スイッチ
１３  商品
１４  ＩＣタグ
１５  硬貨返却ボタン
１６  硬貨返却口
１７  回転盤
１８  回転軸
１９  貫通孔
２０  シュート孔
２１  同一商品払出防止機構
２２  摺動部材
２３  回動部材
２４  払出制御手段
２５  発信手段
２６  受信手段
２７  受信情報記憶手段
２８  液晶駆動手段
２９  機構駆動手段
３０  ＣＰＵ
３１  ＩＣチップ
３２  タグ用アンテナ
３３  送信手段
３４  受信手段
３５  商品情報記憶手段
３６  電源整流手段
３７  アンテナ
【図１】
2006309414.tif 000003
【図２】
2006309414.tif 000004
【図３】
2006309414.tif 000005
【図４】
2006309414.tif 000006
【図５】
2006309414.tif 000007
【図６】
2006309414.tif 000008
【図７】
2006309414.tif 000009